【手続補正書】
【提出日】平成16年12月22日(2004.12.22)
【手続補正１】
【補正対象書類名】明細書
【補正対象項目名】特許請求の範囲
【補正方法】変更
【補正の内容】
【特許請求の範囲】
【請求項１】
基板上に設けられ、光を反射する反射層と、
前記反射層が設けられた領域と重なり、第１の厚さを有する薄い着色層と、
前記反射膜が設けられていない領域と重なり、前記第１の厚さよりも大きい第２の厚さを有する厚い着色層とを備え、
前記第１の厚さ及び前記第２の厚さは、前記薄い着色層を透過した光を色度図上にプロットすることにより規定される第１の点と、前記厚い着色層を透過した光を色度図上にプロットすることにより規定される第２の点との比較結果に基づいて調整されることを特徴とするカラーフィルタ基板。
【請求項２】
前記薄い着色層は、第１色の層、第２色の層及び第３色の層を含み、
前記厚い着色層は、第１色の層、第２色の層及び第３色の層を含み、
前記第１の厚さ及び前記第２の厚さは、前記薄い着色層において、前記第１色、第２色又は第３色の層を透過した光を色度図上にプロットすることにより規定される第１の色三角形と、前記厚い着色層において、前記第１色、第２色又は第３色の層を透過した光を色度図上にプロットすることにより規定される第２の色三角形との比較結果に基づいて調整されることを特徴とする請求項１に記載のカラーフィルタ基板。
【請求項３】
基板上に設けられ、光を反射する反射層と、
前記反射層が設けられた領域と重なり、第１の厚さを有する薄い着色層と、
前記反射膜が設けられていない領域と重なり、前記第１の厚さよりも大きい第２の厚さを有する厚い着色層とを備え、
前記薄い着色層は、第１色の層、第２色の層及び第３色の層を含み、
前記厚い着色層は、第１色の層、第２色の層及び第３色の層を含み、
前記薄い着色層において、前記第１色、第２色又は第３色の層を１回透過した光を色度図上にプロットすることにより規定される第１の色三角形と、前記厚い着色層において、前記第１色、第２色又は第３色の層を１回透過した光を色度図上にプロットすることにより規定される第２の色三角形との比較をする結果、前記第２の色三角形の面積は、前記第１の色三角形の面積よりも大きいことを特徴とするカラーフィルタ基板。
【請求項４】
前記第２の厚さは、前記第１の厚さの１．４倍から２．６倍の範囲内であることを特徴とする請求項１乃至３のいずれか一項に記載のカラーフィルタ基板。
【請求項５】
前記薄い着色層は、前記反射層上に形成された前記下地着色層であり、
前記厚い着色層は、前記下地着色層及び前記下地着色層上に形成された上層着色層であることを特徴とする請求項１乃至４のいずれか一項に記載のカラーフィルタ基板。
【請求項６】
請求項１乃至５のいずれか一項に記載のカラーフィルタ基板と、
該カラーフィルタ基板に対向配置される他の基板と、
前記カラーフィルタ基板及び前記他の基板との間に封入されてなる電気光学物質とを備えたことを特徴とする電気光学装置。
【請求項７】
基板上に反射層を形成する工程と、
前記反射層が設けられた領域及び前記反射層が設けられていない領域に下地着色層を形成する第１着色層形成工程と、
前記反射層が設けられていない領域に上層着色層を形成することにより、前記反射層上の前記下地着色層からなる薄い着色層と、前記下地着色層及び前記上層着色層からなる厚い着色層を形成する第２着色層形成工程と含むことを特徴とするカラーフィルタ基板の製造方法。
【請求項８】
前記下地着色層は、第１色の層、第２色の層及び第３色の層を含み、
前記上層着色層は、第１色の層、第２色の層及び第３色の層を含み、
当該第１着色層形成工程及び当該第２着色層形成工程の前に、
前記薄い着色層の第１の厚さと前記厚い着色層の第２の厚さを、当該薄い着色層において、前記第１色、第２色又は第３色の層を透過した光を色度図上にプロットすることにより規定される第１の色三角形と、前記厚い着色層において、前記第１色、第２色又は第３色の層透過した光を色度図上にプロットすることにより規定される第２の色三角形との比較結果に基づいて調整かつ決定する工程を更に含むことを特徴とする請求項７に記載のカラーフィルタ基板の製造方法。
【請求項９】
前記第１着色層形成工程と前記第２着色層形成工程は、インクジェットプリンタを利用して実施されることを特徴とする請求項７又は８に記載のカラーフィルタ基板の製造方法。
【請求項１０】
請求項７乃至９のいずれか一項に記載のカラーフィルタ基板の製造方法により製造されたカラーフィルタ基板に対して、対向配置されるように他の基板を貼着する工程と、前記カラーフィルタ基板及び前記対向基板間に電気光学物質を封入する工程とを含むことを特徴とする電気光学装置の製造方法。
【請求項１１】
光を反射する反射層が設けられた基板及び該基板に対向配置される他の基板と、
前記基板及び前記他の基板との間に封入されてなる電気光学物質と、
前記反射層が設けられた領域と重なり、第１の厚さを有する薄い着色層と、
前記反射膜が設けられていない領域と重なり、前記第１の厚さよりも大きい第２の厚さを有する厚い着色層とを備え、
前記第１の厚さ及び前記第２の厚さは、前記薄い着色層を透過した光を色度図上にプロットすることにより規定される第１の点と、前記厚い着色層を透過した光を色度図上にプロットすることにより規定される第２の点との比較結果に基づいて調整されることを特徴とする電気光学装置。
【手続補正２】
【補正対象書類名】明細書
【補正対象項目名】０００８
【補正方法】変更
【補正の内容】
【０００８】
【課題を解決するための手段】
本発明のカラーフィルタ基板は、上記課題を解決するため、基板上に設けられ、光を反射する反射層と、前記反射層が設けられた領域と重なり、第１の厚さを有する薄い着色層と、前記反射膜が設けられていない領域と重なり、前記第１の厚さよりも大きい第２の厚さを有する厚い着色層とを備え、前記第１の厚さ及び前記第２の厚さは、前記薄い着色層を透過した光を色度図上にプロットすることにより規定される第１の点と、前記厚い着色層を透過した光を色度図上にプロットすることにより規定される第２の点との比較結果に基づいて調整されることを特徴とする
【手続補正３】
【補正対象書類名】明細書
【補正対象項目名】０００９
【補正方法】変更
【補正の内容】
【０００９】
本発明のカラーフィルタ基板によれば、薄い着色層が有する第１の厚さは、厚い着色層が有する第２の厚さよりも小さい。すなわち、これら薄い着色層及び厚い着色層において、例えば、それら各々の一方の面に垂直に入射した光が、各々の他方の面に至るまでの光路を考えると、前者の光路は後者の光路よりも小さいことになる。
【手続補正４】
【補正対象書類名】明細書
【補正対象項目名】００１０
【補正方法】変更
【補正の内容】
【００１０】
ここで、前記厚い着色層下に蛍光灯等その他の光源を備えれば、該厚い着色層においては、当該光源から発せられた光は、該厚い着色層内を１回透過して出射することになる一方、前記薄い着色層においては、該層の光入射面から入射した光が反射層に至るまで往路を進み、該反射層で反射した後、復路を進んで（すなわち、薄い着色層内を２回透過して）出射することになる。すなわち、前者の透過のケースに係る光路、すなわち透過経路の長さと、後者の反射のケースに係る経路、すなわち反射経路の長さとの差は、一般に小さくなることになる。とりわけ、前記第１の厚さ及び前記第２の厚さのそれぞれを適当に調整することによれば、例えば、両長さを略同一とすることも可能となる。
【手続補正５】
【補正対象書類名】明細書
【補正対象項目名】００２１
【補正方法】変更
【補正の内容】
【００２１】
本発明のカラーフィルタ基板の一態様では、前記薄い着色層は、第１色の層、第２色の層及び第３色の層を含み、前記厚い着色層は、第１色の層、第２色の層及び第３色の層を含み、前記第１の厚さ及び前記第２の厚さは、前記薄い着色層において、前記第１色、第２色又は第３色の層を透過した光を色度図上にプロットすることにより規定される第１の色三角形と、前記厚い着色層において、前記第１色、第２色又は第３色の層を透過した光を色度図上にプロットすることにより規定される第２の色三角形との比較結果に基づいて調整されることを特徴とする。
【手続補正６】
【補正対象書類名】明細書
【補正対象項目名】００３２
【補正方法】変更
【補正の内容】
【００３２】
本発明のカラーフィルタ基板は、基板上に設けられ、光を反射する反射層と、前記反射層が設けられた領域と重なり、第１の厚さを有する薄い着色層と、前記反射膜が設けられていない領域と重なり、前記第１の厚さよりも大きい第２の厚さを有する厚い着色層とを備え、前記薄い着色層は、第１色の層、第２色の層及び第３色の層を含み、前記厚い着色層は、第１色の層、第２色の層及び第３色の層を含み、前記薄い着色層において、前記第１色、第２色又は第３色の層を１回透過した光を色度図上にプロットすることにより規定される第１の色三角形と、前記厚い着色層において、前記第１色、第２色又は第３色の層を１回透過した光を色度図上にプロットすることにより規定される第２の色三角形との比較をする結果、前記第２の色三角形の面積は、前記第１の色三角形の面積よりも大きいことを特徴とする。より好ましくは、前記第２の色三角形の面積は、前記第１の色三角形の面積の１．２倍を越えて大きいことが望ましい。
【手続補正７】
【補正対象書類名】明細書
【補正対象項目名】００３３
【補正方法】変更
【補正の内容】
【００３３】
このカラーフィルタ基板によれば、薄い着色層及び厚い着色層等を備えていること、これにより反射経路の長さ及び透過経路の長さを例えば略同一とすることが可能であること、反射カラー画像及び透過カラー画像の二通りのカラー画像を表示可能であること等は、上述のカラーフィルタ基板ないしその一態様に係る構成及び作用効果に関する説明と同様である。
【手続補正８】
【補正対象書類名】明細書
【補正対象項目名】００３６
【補正方法】変更
【補正の内容】
【００３６】
本発明のカラーフィルタ基板によれば、前記第２の厚さは、前記第１の厚さの１．４倍から２．６倍の範囲内であることを特徴とする。
【手続補正９】
【補正対象書類名】明細書
【補正対象項目名】００４０
【補正方法】変更
【補正の内容】
【００４０】
本発明のカラーフィルタ基板の他の態様では、前記薄い着色層は、前記反射層上に形成された前記下地着色層であり、前記厚い着色層は、前記下地着色層及び前記下地着色層上に形成された上層着色層であることを特徴とする。
【手続補正１０】
【補正対象書類名】明細書
【補正対象項目名】００４２
【補正方法】変更
【補正の内容】
【００４２】
本発明の電気光学装置は、上記課題を解決するために、上述した本発明のカラーフィルタ基板（ただし、その各種態様を含む。）と、該カラーフィルタ基板に対向配置される他の基板と、前記カラーフィルタ基板及び前記他の基板間に封入されてなる電気光学物質とを備える。また、本発明の電気光学装置は、光を反射する反射層が設けられた基板及び該基板に対向配置される他の基板と、前記基板及び前記他の基板との間に封入されてなる電気光学物質と、前記反射層が設けられた領域と重なり、第１の厚さを有する薄い着色層と、
前記反射膜が設けられていない領域と重なり、前記第１の厚さよりも大きい第２の厚さを有する厚い着色層とを備え、前記第１の厚さ及び前記第２の厚さは、前記薄い着色層を透過した光を色度図上にプロットすることにより規定される第１の点と、前記厚い着色層を透過した光を色度図上にプロットすることにより規定される第２の点との比較結果に基づいて調整されることを特徴とする。
【手続補正１１】
【補正対象書類名】明細書
【補正対象項目名】００４７
【補正方法】変更
【補正の内容】
【００４７】
本発明のカラーフィルタ基板の製造方法は、基板上に反射層を形成する工程と、前記反射層が設けられた領域及び前記反射層が設けられていない領域に下地着色層を形成する第１着色層形成工程と、前記反射層が設けられていない領域に上層着色層を形成することにより、前記反射層上の前記下地着色層からなる薄い着色層と、前記下地着色層及び前記上層着色層からなる厚い着色層を形成する第２着色層形成工程と含むことを特徴とする。
【手続補正１２】
【補正対象書類名】明細書
【補正対象項目名】００４９
【補正方法】変更
【補正の内容】
【００４９】
本発明のカラーフィルタ基板の製造方法の一態様では、前記下地着色層は、第１色の層、第２色の層及び第３色の層を含み、前記上層着色層は、第１色の層、第２色の層及び第３色の層を含み、当該第１着色層形成工程及び当該第２着色層形成工程の前に、前記薄い着色層の第１の厚さと前記厚い着色層の第２の厚さを、当該薄い着色層において、前記第１色、第２色又は第３色の層を透過した光を色度図上にプロットすることにより規定される第１の色三角形と、前記厚い着色層において、前記第１色、第２色又は第３色の層透過した光を色度図上にプロットすることにより規定される第２の色三角形との比較結果に基づいて調整かつ決定する工程を更に含むことを特徴とする。